(57)【要約】【課題】口出し線とワイヤハーネスの接続部を少ない工数と部品点数で簡便に接続固定することができる磁石式発電機のステータを提供する。【解決手段】発電コイル２の口出し線７をワイヤハーネス３に接続する部分を、ターミナル６を用いてステータコア１の継鉄部１１に固定する。ステータコア１の継鉄部１１には、ターミナル６を挿入するための挿入孔５が穿設される。ターミナル６の両側には係止部６３が設けられ、ターミナル６の末端部にはワイヤハーネス３の先端部を接続するためのかしめ接続部６１が設けられる。ターミナル６の先端部には発電コイル２の口出し線７を接続するための接続部６２が設けられる。ターミナル６が挿入される挿入孔５は、ターミナル６を背面側から挿入し貫通した後、その軸の回りで回動させ且つ反挿入側に戻すことにより、ターミナル６を挿入孔５内に係止させる形状に形成されている。【選択図】図１
2005287221.tif 000002
【特許請求の範囲】
【請求項１】
リング状の継鉄部の外周に複数の突極部が突設されたステータコアと、該ステータコアの各突極部に巻装された発電コイルと、を備え、該発電コイルの口出し線をワイヤハーネスに接続する部分を、ターミナルを用いて該ステータコアの継鉄部に固定する構造の磁石式発電機のステータにおいて、
該ステータコアの継鉄部には、前記ターミナルを挿入するための挿入孔が穿設され、該ターミナルの両側に係止部が設けられ、該ターミナルの末端部にはワイヤハーネスの先端部を接続するための接続部が設けられると共に、該ターミナルの先端部には前記発電コイルの口出し線を接続するための接続部が設けられ、該ターミナルが挿入される該挿入孔は、該ターミナルを背面側から挿入され貫通した後、その軸線の回りで回動させ且つ反挿入側に戻すことにより、該ターミナルを該挿入孔内に係止させる形状に形成されていることを特徴とする磁石式発電機のステータ。
【請求項２】
前記ステータコアの少なくとも継鉄部の一部及び挿入孔には絶縁体が被覆形成され、該絶縁体は該ステータコアをインサートとして合成樹脂によりインサート成形されている請求項１記載の磁石式発電機のステータ。
【請求項３】
前記ステータコアの少なくとも継鉄部の一部及び挿入孔には絶縁体が被覆形成され、前記絶縁体は合成樹脂によりボビン半割り体として形成され、該ステータコアの両側から該ボビン半割り体が嵌着され、該ボビン半割り体の継鉄部への延設部に挿入孔が形成されている請求項１記載の磁石式発電機のステータ。
【請求項４】
前記挿入孔は、その横断面形状が縦幅と横幅を相違した形状に形成されている請求項１記載の磁石式発電機のステータ。
【発明の詳細な説明】
【技術分野】
【０００１】
本発明は、自動二輪車、バギー車、雪上車などのエンジンに装着され、搭載バッテリの充電や電気機器への電力供給に使用される磁石式発電機のステータに関する。
【背景技術】
【０００２】
磁石式発電機にはアウタロータ型とインナーロータ型があり、アウタロータ型の磁石式発電機のステータは、多数の突極部を円周上に突設したステータコアの各突極部に、発電コイルを巻装して構成され、鋼板を積層した構造のステータコアは、中央を円形に開口したリング状継鉄部の周囲に、突極部を放射状に突設し、継鉄部に穿設した複数の取付孔と取付ボルトを用いて、エンジンケーシングなどの内側に固定される。一方、エンジンのクランク軸に取り付けられるロータは、ステータの外周部に僅かな隙間を介して回転可能に配置される。
【０００３】
このような磁石式発電機のステータにおいて、その発電コイルの電力を導出するためのコイルの口出し線は、接続部を介してワイヤハーネスと接続されるが、その接続部として、ターミナルをステータコアに固定し、そのターミナル上にコイルの口出し線とワイヤハーネスの端部を半田付けする構造のものが、下記の特許文献１などで知られている。
【特許文献１】特開２００１−１６９４９５公報
【発明の開示】
【発明が解決しようとする課題】
【０００４】
しかし、このような口出し線の接続部の固定は、ステータコアの各突極部にコイルを巻装した状態で、その継鉄部に設けた孔に絶縁体を介してターミナルを嵌入し、さらに、そのターミナル上にワイヤハーネスの線材の端部を半田付けすると共に、コイルの口出し線を半田付けしているため、非常に小形のターミナルを所定の孔にはめ込む作業、或いはそこに口出し線とワイヤハーネスの線材の接続する作業は煩雑で難しく、作業工数が増大する問題があった。
【０００５】
本発明は、上述の課題を解決するものであり、口出し線とワイヤハーネスの接続部を少ない工数と部品点数で簡便に接続固定することができる磁石式発電機のステータを提供することを目的とする。
【課題を解決するための手段】
【０００６】
上記目的を達成するために、本発明の磁石式発電機のステータは、リング状の継鉄部の外周に複数の突極部が突設されたステータコアと、ステータコアの各突極部に巻装された発電コイルと、を備え、発電コイルの口出し線をワイヤハーネスに接続する部分を、ターミナルを用いてステータコアの継鉄部に固定する構造の磁石式発電機のステータにおいて、ステータコアの継鉄部には、ターミナルを挿入するための挿入孔が穿設され、ターミナルの両側に係止部が設けられ、ターミナルの末端部にはワイヤハーネスの先端部を接続するための接続部が設けられると共に、ターミナルの先端部には発電コイルの口出し線を接続するための接続部が設けられ、ターミナルが挿入される挿入孔は、ターミナルを背面側から挿入し貫通した後、その軸線の回りで回動させ且つ反挿入側に戻すことにより、ターミナルを挿入孔内に係止させる形状に形成されていることを特徴とする。
【０００７】
ここで、上記ステータにおいては、ステータコアの少なくとも継鉄部の一部及び挿入孔に、絶縁体を被覆形成し、この絶縁体はステータコアをインサートとして合成樹脂によりインサート成形することができる。また、上記ステータコアの少なくとも継鉄部の一部及び挿入孔に、絶縁体を被覆形成し、この絶縁体は合成樹脂によりボビン半割り体として形成し、ステータコアの両側からボビン半割り体を嵌着し、ボビン半割り体の継鉄部への延設部に挿入孔を形成することができる。さらに、上記ステータにおいて、挿入孔は、その横断面が縦幅と横幅を相違した形状に形成することができる。
【発明の効果】
【０００８】
上記構成の磁石式発電機のステータは、発電コイルの口出し線とワイヤハーネスを接続して固定する場合、先ず、各ターミナルの末端の接続部をワイヤハーネスの各先端部に接続する。ターミナルの末端の接続部はかしめ固定可能に形成され、その接続部をかしめてワイヤハーネスの線材の先端にターミナルが接続される。次に、線材の先端部に接続されたターミナルを、ステータコアにおける絶縁体の挿入孔に一方の側から挿入し、ターミナルの先端が挿入孔の他方の開口から突出した貫通状態で、それをターミナルの軸の回りで例えば９０度回して反挿入側に戻すようにする。これにより、ターミナルの両側の係止部が挿入孔内の絶縁体の被覆層が孔内にある場合は絶縁体に、絶縁体がない場合はステータコアの壁面に係止され、ターミナルは挿入孔内に固定される。次に、挿入孔の先端から突き出したターミナルの先端の接続部に、発電コイルの口出し線の先端を半田付けして、ステータへのワイヤハーネスの接続は完了する。
【０００９】
このように、ワイヤハーネスの線材の先端にターミナルをかしめ固定により固定した状態で、そのターミナルを、ステータコアの挿入孔に挿入し、それをターミナルの軸の回りで例えば９０度回して反挿入側に戻すようにするだけで、ターミナルをステータコアに対し固定することができ、また、ターミナルは予めワイヤハーネスの線材の先端にかしめ固定しておくことができるため、従来のこの種の配線接続作業に比べ、接続作業が簡単で作業性が向上し、配線接続の工数と時間を削減して製造コストを下げることができる。
【発明を実施するための最良の形態】
【００１０】
以下、本発明の一実施形態を図面に基づいて説明する。図１は磁石式発電機のステータの正面図を示し、図２はその背面図を示している。この磁石式発電機のステータは、リング状の継鉄部１１の外周に複数の突極部１２が突設されたステータコア１と、ステータコア１の各突極部１２に巻装された発電コイル２と、を備え、継鉄部１１に取り付けたターミナル６に、発電コイル２の口出し線７とワイヤハーネス３の線材を接続して構成される。
【００１１】
発電コイル２を巻装するステータコア１は、中央に円形の開口部を有するリング状の継鉄部１１の外周に、複数の突極部１２を（ここでは８個の突極部１２を）４５度の間隔で放射状に突設して形成される。また、ステータコア１は所定の形状に打ち抜いた複数の鋼板を積層し、リベット１４によりそれらを一体に固定して形成される。最前面の鋼板と背面の鋼板における突極部１２の先端は、外側にフランジ状に曲折され、その部分に巻装する発電コイル２の保持機能を持たせている。
【００１２】
リング状の継鉄部１１には、エンジンケーシング等の固定部材に固定するための固定孔１３が穿設され、リベット１４もこの継鉄部１１に穿設した貫通孔に挿通され、かしめ固定される。また、継鉄部１１には後述のターミナル取付用の複数の挿入孔５が穿設されている。
【００１３】
さらに、ステータコア１の各突極部１２と継鉄部１１の一部にはそれらを覆うように合成樹脂の絶縁体４が被覆形成される。突極部１２を覆う絶縁体４は、ボビン８として形成され、ボビン８の周囲に発電コイル２が巻装され、その発電コイル２の端部は口出し線７として正面側に引き出されている。さらに、継鉄部１１にはターミナル取付用の挿入孔５が例えば３箇所に形成されている。これらの２箇所の挿入孔５内には、絶縁体４の被覆層が形成されている。
【００１４】
また、これらの挿入孔５は、図５，６に示すごとく、孔の横断面形状が縦横で長さが相違した形態の例えば十字形状に形成され、その横断面の横幅は、後述のターミナル６を挿入可能な幅に形成され、その横断面の縦幅は、孔に挿入し貫通したターミナル６をその軸の回りで９０度回して反挿入方向に戻したとき、ターミナル６の両側の係止部６３が孔の側壁に係止可能に形成されている。
【００１５】
これらの挿入孔５に挿入固定されるターミナル６は、図３，４に示すように、縦長の導電性金属板から形成され、その末端部（下端部）は細く形成されると共にかしめ接続部６１が形成される。また、ターミナルの先端部（上端部）に、コイルの口出し線７を半田付けするための接続部６２が形成されている。さらに、ターミナル６の両側上部寄りに、挿入孔５の内側に係止するための、係止部６３が突き出すように形成されている。また、ターミナル６の先端部における接続部６２の下側には、挿入孔５の外側に突き出して縁部に当接するためのフランジ部６４が左右に突き出すように形成されている。
【００１６】
上記のごとく、ステータコア１の各突極部１２と継鉄部１１の一部には、それらを覆うように合成樹脂の絶縁体４が被覆形成されるが、このような絶縁体４の被覆成形は、例えば、ステータコア１をインサートして成形型内に挿入し、合成樹脂によるインサート成形により、ボビン８、挿入孔５を含めて一体成形することができる。
【００１７】
継鉄部１１の２個の挿入孔５内はこの絶縁体４により被覆されるが、挿入孔５内の絶縁体４の内側形状も、挿入孔と同様に、図５，６に示すごとく、その横断面形状が横幅を長く縦幅を短くした十字状となっている。なお、ステータコア１の継鉄部１１にはアース接続用の挿入孔が形成され、そのアース用挿入孔には絶縁体４は被覆されず、挿入孔に直にターミナル６を挿入してアース線を接続固定するようにしている。
【００１８】
上記のように構成されたターミナル６を使用して発電コイル２の口出し線７とワイヤハーネス３を接続固定する場合、先ず、各ターミナル６の末端の接続部６１をワイヤハーネス３の線材の各先端部に接続する。ターミナル６の末端の接続部６１は、ワイヤハーネス３の線材に当接した状態で、その両側のかしめ片をかしめて接続固定され、ターミナル６が線材の先端に取り付けられる。
【００１９】
次に、ワイヤハーネス３の線材の先端部に接続されたターミナル６を、ステータコア１における挿入孔５に一方の側から挿入する。正極側のターミナル６は絶縁体４の挿入孔５に挿入し、アース線用のターミナル６は絶縁体４のない挿入孔５に挿入する。このとき、ターミナル６の先端のフランジ部６４の長手方向を、挿入孔５の横幅の長い方向に向けて挿入すれば、図５のように、ターミナル６を挿入孔５内に容易に挿入することができる。
【００２０】
そして、ターミナル６の先端が挿入孔５の他方の開口から突出して貫通した状態で、それをターミナル６の軸の回りで例えば９０度回して反挿入側に戻すようにする。これにより、図６のように、ターミナル６の両側のフランジ部６４と係止部６３が挿入孔５の短手方向の縦幅の短い方向に向き、図７に示すように、その係止部６３が挿入孔５内に係止され、これにより、ターミナル６は簡単に挿入孔５内に固定される。
【００２１】
次に、挿入孔５の先端から突き出したターミナル６の先端の接続部６２に、発電コイル２の口出し線７の先端を半田付けして、発電コイル２の口出し線７とワイヤハーネス３の接続は完了する。
【００２２】
上記構成の磁石式発電機のステータは、図示しないエンジンカバーの内側の所定位置に、ステータコア１の継鉄部１１を介して、つまりリング状の継鉄部１１の固定孔１３に固定ねじを挿入し、それらのねじを締め付けて固定される。そして、ステータの外周には、図示しないクランク軸の先端に固定されたロータのヨーク部と永久磁石が僅かな隙間を介して回転可能に配置される。
【００２３】
ステータの発電コイル２に接続されたワイヤハーネス３の端部は、エンジンの電機機器などに接続される。エンジンの運転に伴い、ロータが回転し、ステータの外周部を複数に分割されたロータの永久磁石が回転することにより、ステータの各磁極部に巻装された発電コイルに起電力が発生し、発電が行われる。
【００２４】
なお、上記実施形態では、絶縁体４を合成樹脂のインサート成形により成形したが、合成樹脂により型成形により形成されたボビン半割り体から形成することもでき、この場合、ステータコアの両側からボビン半割り体を嵌着して絶縁体とし、ボビン半割り体の継鉄部への延設部に挿入孔を形成する構造とすることもできる。また、上記挿入孔５は、横断面形状を十字状としたが、その横断面が縦幅と横幅を相違した形状であって、挿入孔に挿入したターミナルをその中心軸を中心に回したとき、係止部が係止可能な形状であれば、任意の形状とすることができる。
【００２５】
以上説明したように、本発明の磁石式発電機のステータによれば、ワイヤハーネスの線材の先端にターミナルをかしめ固定により接続固定した状態で、そのターミナルを、ステータコアの挿入孔に挿入し貫通した状態で、それをターミナルの軸の回りで例えば９０度回して反挿入側に戻すようにするだけで、ターミナルをステータコアに対し固定することができ、また、ターミナルは予めワイヤハーネスの線材の先端にかしめ固定しておくことができるため、従来のこの種のステータの配線接続作業に比べ、簡単に少ない作業工数で接続作業を行うことができ、配線接続の工数と時間を削減することができる。
【図面の簡単な説明】
【００２６】
【図１】本発明の一実施形態を示す磁石式発電機のステータの正面図である。
【図２】同ステータの背面図である。
【図３】ターミナルの正面図である。
【図４】ターミナルの左側面図である。
【図５】挿入孔にターミナルを挿入した際の平面図（ａ）と断面図（ｂ）である。
【図６】ターミナルを９０度回して係止された状態の平面図（ａ）と断面図（ｂ）である。
【図７】図６のVII-VII断面図である。
【符号の説明】
【００２７】
１−ステータコア
２−発電コイル
３−ワイヤハーネス
４−絶縁体
５−挿入孔
６−ターミナル
７−口出し線
６１−かしめ接続部
６２−接続部
６３−係止部
【図１】
2005287221.tif 000003
【図２】
2005287221.tif 000004
【図３】
2005287221.tif 000005
【図４】
2005287221.tif 000006
【図５】
2005287221.tif 000007
【図６】
2005287221.tif 000008
【図７】
2005287221.tif 000009